(57)【要約】【課題】液滴を吐出して形成する薄膜パターンにおいてノズルの個体差に起因したスジムラを解消させたパターン形成方法、液滴吐出装置、及び電気光学装置を提供する。【解決手段】ヘッド駆動回路は、奇数列目の画素群Ｃｍｎに対応する圧電素子に対して濃色用波形信号と薄色用波形信号とを画素ごとに交互に入力する。また、ヘッド駆動回路は、奇数列目の画素群Ｃｍｎに対応する圧電素子に対して濃色用波形信号を入力するとき、偶数列目の画素群Ｃｍｎに対応する圧電素子に対して薄色用波形信号を入力する。また、ヘッド駆動回路は、奇数列目の画素群Ｃｍｎに対応する圧電素子に対して薄色用波形信号を入力するとき、偶数列目の画素群Ｃｍｎに対応する圧電素子に対して濃色用波形信号を入力する。【選択図】図３
2008168189.tif 000002
【特許請求の範囲】
【請求項１】
一方向に配列した複数の第１領域を有する基板と、前記一方向と交差する他方向に配列
した複数のノズルとを前記一方向に沿って相対移動させ、前記複数の第１領域の各々が前
記ノズルと対向するとき、前記複数の第１領域の各々に吐出する液状体の量を前記第１領
域ごとに第１吐出量と第２吐出量とに交互に切替える工程と、
前記基板と前記複数のノズルとを前記一方向に沿って相対移動させ、前記複数の第１領
域の各々に隣接する複数の第２領域の各々が前記ノズルと対向するとき、隣接する前記第
１領域の液状体の量が前記第１吐出量である前記第２領域に向けて前記第２吐出量の液状
体を吐出し、隣接する前記第１領域の液状体の量が前記第２吐出量である前記第２領域に
向けて前記第１吐出量の液状体を吐出する工程と、
前記第１領域と前記第２領域とに吐出した前記液状体を乾燥して前記第１領域と前記第
２領域とに薄膜のパターンを形成する工程と、を備えたこと、
を特徴とするパターン形成方法。
【請求項２】
請求項１に記載のパターン形成方法であって、
前記複数の第１領域の各々が前記ノズルと対向するとき、前記ノズルから吐出する液滴
の重量を前記第１領域ごとに変更して、前記第１領域の各々に吐出する前記液状体の量を
前記第１吐出量と前記第２吐出量とに交互に切り替え、
前記複数の第２領域の各々が前記ノズルと対向するとき、前記ノズルから吐出する液滴
の重量を前記第２領域ごとに変更して、隣接する前記第１領域の液状体の量が前記第１吐
出量である前記第２領域に向けて前記第２吐出量の液状体を吐出し、隣接する前記第１領
域の液状体の量が前記第２吐出量である前記第２領域に向けて前記第１吐出量の液状体を
吐出すること、
を特徴とするパターン形成方法。
【請求項３】
一方向に沿って配列した複数の第１領域と、前記複数の第１領域の各々に隣接する複数
の第２領域とを有した基板を載置して前記一方向に沿って移動するステージと、
前記一方向と交差する他方向に沿って配列した複数のノズルの各々から前記基板に向け
液状体を液滴にして吐出する吐出ヘッドと、
前記各領域に吐出する液状体の量を第１吐出量にする第１駆動信号と、前記各領域に吐
出する液状体の量を第２吐出量にする第２駆動信号とを生成する駆動信号生成手段と、
描画データに基づいて前記第１領域に前記液滴を吐出する第１ノズルと前記第２領域に
前記液滴を吐出する第２ノズルとを選択した選択信号を生成する選択信号生成手段と、
前記選択信号に基づいて選択した前記第１ノズルに対し前記第１駆動信号と前記第２駆
動信号とを交互に入力し、前記複数の第１領域の各々に吐出する液状体の量を前記第１領
域ごとに前記第１吐出量と前記第２吐出量とに交互に切替えさせ、前記選択信号に基づい
て選択した前記第２ノズルに対し前記第２駆動信号と前記第１駆動信号とを交互に入力し
、隣接する前記第１領域の液状体の量が前記第１吐出量である前記第２領域に向けて前記
第２吐出量の液状体を吐出させ、隣接する前記第１領域の液状体の量が前記第２吐出量で
ある前記第２領域に向けて前記第１吐出量の液状体を吐出させる制御手段と、
を備えたことを特徴とする液滴吐出装置。
【請求項４】
請求項３に記載の液滴吐出装置であって、
前記第１駆動信号は、前記液滴の重量を前記第１吐出量に対応させる信号であり、
前記第２駆動信号は、前記液滴の重量を前記第２吐出量に対応させる信号であり、
前記制御手段は、前記選択信号に基づいて選択した前記第１ノズルに対し前記第１駆動
信号と前記第２駆動信号とを交互に入力し、前記複数の第１領域の各々に吐出する液滴の
重量を前記第１領域ごとに交互に変更させ、前記選択信号に基づいて選択した前記第２ノ
ズルに対し前記第２駆動信号と前記第１駆動信号とを交互に入力し、前記複数の第２領域
の各々に吐出する液滴の重量を前記第２領域ごとに交互に変更させること、
を特徴とする液滴吐出装置。
【請求項５】
一方向に配列した複数の画素を有する電気光学装置であって、
前記複数の画素の各々が請求項３又は４に記載の液滴吐出装置によって形成されたこと
を特徴とする電気光学装置。
【発明の詳細な説明】
【技術分野】
【０００１】
本発明は、パターン形成方法、液滴吐出装置、及び電気光学装置に関する。
【背景技術】
【０００２】
一般的に、液晶ディスプレイは、多数の画素を有したカラーフィルタ基板を搭載してい
る。カラーフィルタ基板の各画素は、光源からの光を受けて特定波長の光を透過させ、液
晶ディスプレイにフルカラーの画像を表示させる。このカラーフィルタ基板の製造工程に
おいては、生産性の向上や生産コストの低減を図るため、液滴吐出装置を利用して各画素
を形成させる、いわゆるインクジェット法が採用されている。
【０００３】
液滴吐出装置は、一方向に配列された複数のノズルと、各ノズル内の液状体をノズルご
とに加圧する複数のアクチュエータ（例えば、ピエゾ素子や抵抗加熱素子など）とを有す
る。液滴吐出装置は、カラーフィルタ基板と複数のノズルとを走査方向に沿って相対移動
させながら、所定の吐出周波数に従って各アクチュエータを駆動させる。配列されたノズ
ルの各々は、吐出周波数に従って液滴を吐出し、液状体からなるパターンをカラーフィル
タ基板の走査方向に沿って順に描画する。上記インクジェット法は、フィルタ材料を含む
液状体をこの液滴吐出装置に供給し、フィルタ材料を含むパターンを各画素領域に描画し
て乾燥させる。
【０００４】
ところで、上記液滴吐出装置においては、ノズルの列内に吐出量のバラツキが生じると
、大きいサイズの液滴、あるいは、小さいサイズの液滴が、カラーフィルタ基板の走査方
向に沿って連続してしまう。このため、インクジェット法を用いてカラーフィルタ基板を
形成すると、色の濃い画素、あるいは、色の薄い画素が走査方向に沿って連続し、その結
果、走査方向に沿ったスジ状の色ムラ（スジムラ）を生じてしまう。
【０００５】
そこで、上記インクジェット法においては、従来から、このスジムラを解消させる提案
がなされている。特許文献１は、ストライプ状の画素ごとに１つのノズルを対応させ、ス
トライプの長手方向に沿って各ノズルを走査し、液滴の吐出量をノズルごとにランダムに
変化させる。これによれば、ストライプの長手方向に沿って色の濃淡を形成させることが
でき、ノズルの吐出量にバラツキがある場合であっても、スジムラを目立たなくできる。
【特許文献１】特開２００２−１７４７１８号公報
【発明の開示】
【発明が解決しようとする課題】
【０００６】
一方、特許文献１は、隣り合うストライプに対して、互いの濃淡に関し具体的な規定を
設けていない。これは、特許文献１がストライプごとの色の濃淡をランダムに規定させる
ためでもある。そのため、特許文献１は、隣り合うストライプにおいて濃淡の偏りを容易
に招き、ノズルの個体差に起因するスジムラを十分に解消し難いものであった。
【０００７】
本発明は、上記問題を解決するためになされたものであり、その目的は、液滴を吐出し
て形成する薄膜パターンにおいてノズルの個体差に起因したスジムラを解消させたパター
ン形成方法、液滴吐出装置、及び電気光学装置を提供することである。
【課題を解決するための手段】
【０００８】
本発明のパターン形成方法は、一方向に配列した複数の第１領域を有する基板と、前記
一方向と交差する他方向に配列した複数のノズルとを前記一方向に沿って相対移動させ、
前記複数の第１領域の各々が前記ノズルと対向するとき、前記複数の第１領域の各々に吐
出する液状体の量を前記第１領域ごとに第１吐出量と第２吐出量とに交互に切替える工程
と、前記基板と前記複数のノズルとを前記一方向に沿って相対移動させ、前記複数の第１
領域の各々に隣接する複数の第２領域の各々が前記ノズルと対向するとき、隣接する前記
第１領域の液状体の量が前記第１吐出量である前記第２領域に向けて前記第２吐出量の液
状体を吐出し、隣接する前記第１領域の液状体の量が前記第２吐出量である前記第２領域
に向けて前記第１吐出量の液状体を吐出する工程と、前記第１領域と前記第２領域とに吐
出した前記液状体を乾燥して前記第１領域と前記第２領域とに薄膜のパターンを形成する
工程と、を備えた。
【０００９】
本発明のパターン形成方法によれば、一方向に沿って配列した第１領域のパターンが、
第１領域ごとに規則的な濃淡を表し、一方向に沿って配列した第２領域のパターンが、第
２領域ごとに規則的な濃淡を表す。そして、第１領域が濃いパターンであるとき、隣り合
う第２領域が薄いパターンに規定され、逆に、第１領域が薄いパターンであるとき、隣り
合う第２領域が濃いパターンに規定される。したがって、ノズルの個体差に起因したスジ
ムラを一方向に沿う濃淡によって視認し難くさせることができ、かつ、その濃淡の偏りを
隣り合うパターンの濃淡によって回避させることができる。この結果、液滴を吐出して形
成する薄膜パターンにおいてノズルの個体差に起因したスジムラを解消させることができ
る。
【００１０】
このパターン形成方法は、前記複数の第１領域の各々が前記ノズルと対向するとき、前
記ノズルから吐出する液滴の重量を前記第１領域ごとに変更して、前記第１領域の各々に
吐出する前記液状体の量を前記第１吐出量と前記第２吐出量とに交互に切り替え、前記複
数の第２領域の各々が前記ノズルと対向するとき、前記ノズルから吐出する液滴の重量を
前記第２領域ごとに変更して、隣接する前記第１領域の液状体の量が前記第１吐出量であ
る前記第２領域に向けて前記第２吐出量の液状体を吐出し、隣接する前記第１領域の液状
体の量が前記第２吐出量である前記第２領域に向けて前記第１吐出量の液状体を吐出する
。
【００１１】
このパターン形成方法によれば、液滴の重量を変更させることにより、各領域における
液状体の量を第１吐出量と第２吐出量とに交互に切替える。よって、液滴の数量や、液滴
の吐出タイミングを変更させることなく、各領域における液状体の量を切替えさせること
ができる。
【００１２】
本発明の液滴吐出装置は、一方向に沿って配列した複数の第１領域と、前記複数の第１
領域の各々に隣接する複数の第２領域とを有した基板を載置して前記一方向に沿って移動
するステージと、前記一方向と交差する他方向に沿って配列した複数のノズルの各々から
前記基板に向け液状体を液滴にして吐出する吐出ヘッドと、前記各領域に吐出する液状体
の量を第１吐出量にする第１駆動信号と、前記各領域に吐出する液状体の量を第２吐出量
にする第２駆動信号とを生成する駆動信号生成手段と、描画データに基づいて前記第１領
域に前記液滴を吐出する第１ノズルと前記第２領域に前記液滴を吐出する第２ノズルとを
選択した選択信号を生成する選択信号生成手段と、前記選択信号に基づいて選択した前記
第１ノズルに対し前記第１駆動信号と前記第２駆動信号とを交互に入力し、前記複数の第
１領域の各々に吐出する液状体の量を前記第１領域ごとに前記第１吐出量と前記第２吐出
量とに交互に切替えさせ、前記選択信号に基づいて選択した前記第２ノズルに対し前記第
２駆動信号と前記第１駆動信号とを交互に入力し、隣接する前記第１領域の液状体の量が
前記第１吐出量である前記第２領域に向けて前記第２吐出量の液状体を吐出させ、隣接す
る前記第１領域の液状体の量が前記第２吐出量である前記第２領域に向けて前記第１吐出
量の液状体を吐出させる制御手段と、を備えた。
【００１３】
本発明の液滴吐出装置によれば、第１領域の液状体の量が、第１領域ごとに規則的に増
減し、第２領域の液状体の量が、第２領域ごとに規則的に増減する。そして、第１領域の
液状体の量が第１吐出量であるとき、隣り合う第２領域の液状体の量が第２吐出量に規定
され、逆に、第１領域の液状体の量が第２吐出量であるとき、隣り合う第２領域の液状体
の量が第１吐出量に規定される。したがって、液状体を乾燥させて形成する薄膜のパター
ンが一方向に沿う濃淡を表し、ノズルの個体差に起因したスジムラを視認し難くさせる。
しかも、その濃淡の偏りを隣り合うパターンの濃淡によって回避させることができる。こ
の結果、液滴を吐出して形成する薄膜パターンにおいてノズルの個体差に起因したスジム
ラを解消させることができる。
【００１４】
この液滴吐出装置において、前記第１駆動信号は、前記液滴の重量を前記第１吐出量に
対応させる信号であり、前記第２駆動信号は、前記液滴の重量を前記第２吐出量に対応さ
せる信号であり、前記制御手段は、前記選択信号に基づいて選択した前記第１ノズルに対
し前記第１駆動信号と前記第２駆動信号とを交互に入力し、前記複数の第１領域の各々に
吐出する液滴の重量を前記第１領域ごとに交互に変更させ、前記選択信号に基づいて選択
した前記第２ノズルに対し前記第２駆動信号と前記第１駆動信号とを交互に入力し、前記
複数の第２領域の各々に吐出する液滴の重量を前記第２領域ごとに交互に変更させる。
【００１５】
この液滴吐出装置によれば、制御手段が液滴の重量を変更させ、各領域における液状体
の量を第１吐出量と第２吐出量とに交互に切替える。よって、液滴の数量や、液滴の吐出
タイミングを変更させることなく、各領域における液状体の量を切替えさせることができ
る。
【００１６】
本発明の電気光学装置は、一方向に配列した複数の画素を有する電気光学装置であって
、前記複数の画素の各々が上記液滴吐出装置によって形成された。
本発明の電気光学装置によれば、複数の画素においてスジムラを有していない電気光学
装置を提供させることができる。
【発明を実施するための最良の形態】
【００１７】
以下、本発明を具体化した一実施形態を図１〜図９に従って説明する。まず、電気光学
装置としての液晶表示装置１について説明する。図１は、液晶表示装置の全体を示す斜視
図であり、図２及び図３は、それぞれ液晶表示装置に備えられたカラーフィルタ基板を示
す斜視図及び平面図である。
【００１８】
図１において、液晶表示装置１は、バックライト２と液晶パネル３とを有する。バック
ライト２は、光源４から出射された光を液晶パネル３の全面に照射させる。液晶パネル３
は、素子基板５とカラーフィルタ基板６とを有し、これら素子基板５とカラーフィルタ基
板６とが四角枠状のシール材７によって貼り合わされ、素子基板５とカラーフィルタ基板
６との間隙に液晶ＬＣを封入する。液晶ＬＣは、バックライト２からの光を変調して所望
の画像をカラーフィルタ基板６の上面に表示させる。
【００１９】
図２において、カラーフィルタ基板６の上面（図１における下面：素子基板５と相対向
する側面）には、格子状の遮光層８と、遮光層８によって囲まれた多数の領域（フィルタ
領域９）とが形成されている。なお、カラーフィルタ基板６の上面（図１における下面）
を、吐出面６ａという。
【００２０】
遮光層８は、クロムやカーボンブラックなどの遮光性材料を含む樹脂からなる層であり
、液晶ＬＣの透過した光を遮光する。フィルタ領域９は、複数の赤色用フィルタ領域９Ｒ
と、複数の緑色用フィルタ領域９Ｇと、複数の青色用フィルタ領域９Ｂとによって構成さ
れ、これら赤色用フィルタ領域９Ｒ、緑色用フィルタ領域９Ｇ及び青色用フィルタ領域９
Ｂがそれぞれ一方向に沿って配列されている。各フィルタ領域９の内部には、それぞれ対
応する特定波長の光を透過させるカラーフィルタＣＦが形成されている。すなわち、各赤
色用フィルタ領域９Ｒと、各緑色用フィルタ領域９Ｇと、各青色用フィルタ領域９Ｂとに
は、それぞれ赤色の光を透過させる赤色用フィルタＦＲと、緑色の光を透過させる緑色用
フィルタＦＧと、青色の光を透過させる青色用フィルタＦＢとが形成されている。
【００２１】
ここで、各色用フィルタＦＲ，ＦＧ，ＦＢの配列方向（Ｘ方向）を副走査方向とし、吐
出面６ａの面方向であって副走査方向と直交する方向（Ｙ方向）を主走査方向という。
また、主走査方向に沿って連続する３つの異なる色用フィルタＦＲ，ＦＧ，ＦＢを１つ
の画素Ｃとし、副走査方向に沿って配列された一群の画素Ｃ、あるいは主走査方向に沿っ
て配列された一群の画素Ｃを画素群Ｃｍｎ（ｍ、ｎは整数）という。
【００２２】
なお、副走査方向に沿って配列された各画素群Ｃｍｎを、それぞれ主走査方向から順に
、１行目画素群Ｃ１ｎ、２行目画素群Ｃ２ｎ、３行目画素群Ｃ３ｎ、・・・、ｉ行目画素
群Ｃｉｎ（ｉは整数）という。また、主走査方向に沿って配列された各画素群Ｃｍｎを、
それぞれ反副走査方向から順に、１列目画素群Ｃｍ１、２列目画素群Ｃｍ２、３列目画素
群Ｃｍ３、・・・、ｊ列目画素群Ｃｍｊ（ｊは整数）という。
【００２３】
図３において、各画素群Ｃｍｎは、それぞれ濃い色のカラーフィルタＣＦからなる画素
Ｃ（グラデーションを付した領域：濃色画素ＣＨ）と、薄い色のカラーフィルタＣＦから
なる画素Ｃ（グラデーションを付していない領域：薄色画素ＣＬ）とを有する。各画素群
Ｃｍｎにおいて、それぞれ濃色画素ＣＨと薄色画素ＣＬとは、交互に繰り返し配列されて
いる。
【００２４】
例えば、奇数行目の各画素群Ｃｍｎ（１行目画素群Ｃ１ｎ、３行目画素群Ｃ３ｎなど）
においては、それぞれ１列目画素群Ｃｍ１から副走査方向に向かって、それぞれ濃色画素
ＣＨ、薄色画素ＣＬ、濃色画素ＣＨ、・・・の順序で濃色画素ＣＨと薄色画素ＣＬとが繰
り返し配列されている。一方、偶数行目の画素群Ｃｍｎ（２行目画素群Ｃ２ｎ、第ｉ行目
画素群Ｃｉｎなど）においては、１列目画素群Ｃｍ１から副走査方向に向かって、薄色画
素ＣＬ、濃色画素ＣＨ、薄色画素ＣＬ、・・・の順序で薄色画素ＣＬと濃色画素ＣＨとが
繰り返し配列されている。
【００２５】
すなわち、カラーフィルタ基板６においては、主走査方向と副走査方向の双方に対し、
濃色画素ＣＨと薄色画素ＣＬとが交互に繰り返し配列され、これによって吐出面６ａの全
体にわたり市松模様の濃淡を表す。
【００２６】
これら濃色画素ＣＨ及び薄色画素ＣＬは、それぞれ本発明の液滴吐出装置を利用して形
成されている。すなわち、濃色画素ＣＨ及び薄色画素ＣＬは、それぞれフィルタ材料を含
む液状体をフィルタ領域９の内部に吐出させ、各フィルタ領域９の内部に着弾した液状体
を乾燥させることによって形成されている。
【００２７】
次に、上記各画素Ｃを形成するための液滴吐出装置１０について説明する。図４は、液
滴吐出装置１０を示す全体斜視図である。
図４において、液滴吐出装置１０は、直方体形状に形成された基台１１を有する。基台
１１の上面には、基台１１に設けられたステージモータの出力軸に駆動連結される基板ス
テージ１２が取着されている。基板ステージ１２は、吐出面６ａを上側にした状態でカラ
ーフィルタ基板６を載置し、カラーフィルタ基板６を位置決め固定する。基板ステージ１
２は、ステージモータが正転又は逆転するとき、主走査方向（Ｙ方向）に沿って所定の速
度で往復移動し、カラーフィルタ基板６を主走査方向に沿って走査させる。
【００２８】
基台１１の上側には、門型に形成されたガイド部材１３がＹ方向と直交するＸ方向に沿
って架設され、ガイド部材１３の上側には、インクタンク１４が配設されている。インク
タンク１４は、フィルタ材料を含む液状体（各色用のフィルタインクＩｋ）を貯留し、フ
ィルタインクＩｋを所定の圧力で導出する。
【００２９】
ガイド部材１３の下側には、ガイド部材１３に設けられたキャリッジモータの出力軸に
駆動連結されるキャリッジ１５が取着されている。キャリッジ１５の下側には、複数の吐
出ヘッド１６が副走査方向（Ｘ方向）に沿って配列されている。キャリッジ１５は、キャ
リッジモータが正転又は逆転するとき、副走査方向に沿って往復移動し、各吐出ヘッド１
６を副走査方向に沿って走査させる。
【００３０】
基台１１の左側には、液滴重量装置１７が配設されている。液滴重量装置１７は、吐出
ヘッド１６から吐出された液滴の重量をノズルＮごとに計測するものであって、公知の重
量計測装置を用いることができる。液滴重量装置１７としては、例えば吐出された液滴を
受け皿で受けて液滴を秤量する電子天秤を用いることができる。また、液滴重量装置１７
としては、液滴の着弾によって共振周波数を変化させる圧電振動子を用いることができる
。
【００３１】
図５は、吐出ヘッド１６を基板ステージ１２から見た斜視図であり、図６は、吐出ヘッ
ド１６に設けられたノズルＮと画素Ｃとの位置関係を模式的に示す平面図である。また、
図７は、図５のＡ―Ａ線断面図である。
【００３２】
図５において、吐出ヘッド１６の上側には、ノズルプレート１８が備えられている。ノ
ズルプレート１８の上面には、カラーフィルタ基板６と平行のノズル形成面１８ａが形成
され、そのノズル形成面１８ａには、ノズル形成面１８ａの法線方向に貫通する１８０個
のノズルＮが配列されている。吐出ヘッド１６の下側には、ヘッド基板１９が設けられ、
そのヘッド基板１９の一側端には、入力端子１９ａが設けられている。入力端子１９ａに
は、吐出ヘッド１６を駆動するための所定の駆動波形信号が入力される。
【００３３】
図６において、各ノズルＮは、それぞれノズル形成面１８ａの副走査方向（Ｘ方向）に
沿って等間隔に配列されている。各ノズルＮの配列ピッチは、カラーフィルタ基板６が主
走査方向に沿って走査されるとき、１つの画素Ｃに対し、少なくとも１つ以上のノズルＮ
（例えば、３個のノズルＮ）を画素Ｃの走査経路上に配置させる。
【００３４】
図７において、各ノズルＮの上側には、それぞれインクタンク１４に連通するキャビテ
ィ２１が形成されている。各キャビティ２１は、それぞれインクタンク１４が導出したフ
ィルタインクＩｋを貯留し対応するノズルＮに供給する。各キャビティ２１の上側には、
上下方向に振動可能な振動板２２が貼り付けられて、対応するキャビティ２１の容積を拡
大及び縮小可能にする。振動板２２の上側には、それぞれ圧電素子ＰＺが配設されている
。各圧電素子ＰＺは、それぞれ圧電素子ＰＺを駆動するための駆動波形信号が入力される
とき、上下方向に収縮及び伸張して対応する振動板２２を振動させる。
【００３５】
各キャビティ２１は、それぞれ対応する振動板２２が振動するとき、対応するノズルＮ
のメニスカスを上下方向に振動させ、駆動波形信号に応じた所定の重量のフィルタインク
Ｉｋを、対応するノズルＮから液滴Ｄとして吐出させる。吐出された液滴Ｄは、カラーフ
ィルタ基板６の略法線に沿って飛行し、ノズルＮと相対向するフィルタ領域９の内部に着
弾する。着弾した各液滴Ｄは、対応するフィルタ領域９の内部において合一して濡れ広が
り、フィルタ領域９の全体にわたって広がる液状膜ＬＦを形成する。フィルタ領域９に形
成された液状膜ＬＦは、所定の乾燥処理によってその溶媒又は分散媒を蒸発させ、液状膜
ＬＦの重量に応じた膜厚からなるカラーフィルタＣＦを形成する。
【００３６】
ここで、濃色画素ＣＨを形成させるための駆動波形信号、すなわち相対的に大きいサイ
ズ（重い）の液滴Ｄを吐出させるための駆動波形信号を、濃色用波形信号ＣＯＭＡという
。また、薄色画素ＣＬを形成させるための駆動波形信号、すなわち相対的に小さいサイズ
（軽い）の液滴Ｄを吐出させるための信号を、薄色用波形信号ＣＯＭＢという。
【００３７】
なお、大きいサイズの液滴Ｄとは、液滴重量装置１７を利用して計測した各液滴Ｄの中
で最も大きいサイズの液滴Ｄに相対するサイズであり、小さいサイズの液滴Ｄとは、液滴
重量装置１７を利用して計測した液滴Ｄの中で最も小さいサイズの液滴Ｄに相対するサイ
ズである。すなわち、濃色画素ＣＨと薄色画素ＣＬは、各ノズルＮから吐出した液滴Ｄの
バラツキによって表れる濃淡よりも明確な濃淡を表すように形成される。
【００３８】
そして、奇数列の画素群Ｃｍｎに対応する圧電素子ＰＺは、それぞれ奇数行目の画素群
ＣｍｎがノズルＮの直下に位置するとき、濃色用波形信号ＣＯＭＡを受けて相対的に大き
いサイズの液滴Ｄを吐出させる。また、奇数列の画素群Ｃｍｎに対応する圧電素子ＰＺは
、それぞれ偶数行目の画素群ＣｍｎがノズルＮの直下に位置するとき、薄色用波形信号Ｃ
ＯＭＢを受けて相対的に小さいサイズの液滴Ｄを吐出させる。
【００３９】
一方、偶数列の画素群Ｃｍｎに対応する圧電素子ＰＺは、それぞれノズルＮの直下に位
置するフィルタ領域９が奇数行目の画素群Ｃｍｎになるとき、薄色用波形信号ＣＯＭＢを
受けて相対的に小さいサイズの液滴Ｄを吐出させる。また、偶数列の画素群Ｃｍｎに対応
する圧電素子ＰＺは、それぞれノズルＮの直下に位置するフィルタ領域９が偶数行目の画
素群Ｃｍｎになるとき、濃色用波形信号ＣＯＭＡを受けて相対的に大きいサイズの液滴Ｄ
を吐出させる。
【００４０】
次に、上記液滴吐出装置１０の電気的構成を図８及び図９に従って説明する。
図８は、液滴吐出装置１０の電気的構成を示すブロック回路図であり、図９は、ヘッド
駆動回路の電気的構成を示すブロック回路図である。
【００４１】
図８において、制御装置３０は、液滴吐出装置１０に各種の処理動作を実行させるもの
である。制御装置３０は、外部Ｉ／Ｆ３１と、ＣＰＵなどからなる制御部３２と、ＤＲＡ
Ｍ及びＳＲＡＭを含み各種のデータを格納するＲＡＭ３３と、各種制御プログラムを格納
するＲＯＭ３４とを有する。また、制御装置３０は、クロック信号を生成する発振回路３
５と、駆動信号生成手段としての駆動波形生成回路３６と、液滴重量装置１７を駆動する
ための重量装置駆動回路３７と、基板ステージ１２やキャリッジ１５を走査するためのモ
ータ駆動回路３８と、各種の信号を送信する内部Ｉ／Ｆ３９とを有する。この制御装置３
０は、外部Ｉ／Ｆ３１を介して入出力装置４０に接続され、内部Ｉ／Ｆ３９を介して基板
ステージ１２、キャリッジ１５、液滴重量装置１７及び制御手段を構成するヘッド駆動回
路４１に接続されている。
【００４２】
入出力装置４０は、例えばＣＰＵ、ＲＡＭ、ＲＯＭ、ハードディスク、液晶ディスプレ
イなどを有した外部コンピュータである。入出力装置４０は、ＲＯＭ又はハードディスク
に記憶された制御プログラムに従って液滴吐出装置１０を駆動させるための各種の制御信
号を外部Ｉ／Ｆ３１に出力する。外部Ｉ／Ｆ３１は、入出力装置４０から描画データＩｐ
を受信する。
【００４３】
ここで、描画データＩｐとは、例えばフィルタ領域９の位置に関する情報、濃色画素Ｃ
Ｈ及び薄色画素ＣＬの位置に関する情報、基板ステージ１２の走査速度に関する情報など
、吐出面６ａの各フィルタ領域９に向けて対応するサイズの液滴Ｄを吐出させるためのデ
ータである。
【００４４】
ＲＡＭ３３は、受信バッファ３３ａ、中間バッファ３３ｂ、出力バッファ３３ｃとして
利用される。ＲＯＭ３４は、制御部３２が実行する各種の制御ルーチンと、該制御ルーチ
ンを実行するための各種のデータとを格納する。
【００４５】
発振回路３５は、各種のデータや各種の駆動信号を同期させるためのクロック信号を生
成する。発振回路３５は、例えば各種のデータのシリアル転送時に利用される転送クロッ
クＳＣＬＫを生成する。発振回路３５は、シリアル転送された各種のデータのパラレル変
換時に利用されるラッチ信号ＬＡＴを生成する。
【００４６】
駆動波形生成回路３６は、波形メモリ３６ａ、ラッチ回路３６ｂ、Ｄ／Ａ変換器３６ｃ
、増幅器３６ｄを有する。波形メモリ３６ａは、各種の駆動波形信号ＣＯＭ（例えば、濃
色用波形信号ＣＯＭＡ及び薄色用波形信号ＣＯＭＢ）を生成するための波形データを所定
のアドレスに対応させて格納する。ラッチ回路３６ｂは、制御部３２が波形メモリから読
み出した波形データを所定のクロック信号でラッチする。Ｄ／Ａ変換器３６ｃは、ラッチ
回路３６ｂがラッチした波形データをアナログ信号に変換し、増幅器３６ｄは、Ｄ／Ａ変
換器３６ｃが変換したアナログ信号を増幅して駆動波形信号ＣＯＭを生成する。
【００４７】
制御部３２は、入出力装置４０が描画データＩｐを入力するとき、描画データＩｐを参
照して波形メモリ３６ａの波形データを読み出し、駆動波形生成回路３６に濃色用波形信
号ＣＯＭＡ及び薄色用波形信号ＣＯＭＢを生成させる。
【００４８】
図６において、制御部３２は、重量装置駆動回路３７に対応する駆動制御信号を出力す
る。重量装置駆動回路３７は、制御部３２からの駆動制御信号に応答し、内部Ｉ／Ｆ３９
を介して液滴重量装置１７を駆動させる。
【００４９】
制御部３２は、モータ駆動回路３８に対応する駆動制御信号を出力する。モータ駆動回
路３８は、制御部３２からの駆動制御信号に応答し、内部Ｉ／Ｆ３９を介して基板ステー
ジ１２とキャリッジ１５を走査させる。
【００５０】
選択信号生成手段を構成する制御部３２は、外部Ｉ／Ｆ３１が受信した入出力装置４０
からの描画データＩｐを受信バッファ３３ａに一時的に格納させる。制御部３２は、描画
データＩｐを中間コードに変換し中間コードデータとして中間バッファ３３ｂに格納させ
る。制御部３２は、中間バッファ３３ｂから中間コードデータを読み出してドットパター
ンデータに展開し、ドットパターンデータを出力バッファ３３ｃに格納させる。また、制
御部３２は、中間バッファ３３ｂから中間コードデータを読み出してコモンパターンデー
タに展開し、コモンパターンデータを出力バッファ３３ｃに格納させる。
【００５１】
ドットパターンデータとは、ドットパターン格子の各格子点に対し、それぞれ液滴Ｄを
吐出するか否かを対応付けるためのデータである。なお、ドットパターン格子とは、２次
元の描画平面（吐出面６ａ）において、Ｘ方向に沿う吐出ピッチとＹ方向に沿う吐出ピッ
チとによって規定される格子であり、格子点ごとに液滴Ｄの吐出・非吐出を規定するため
の格子である。
【００５２】
コモンパターンデータとは、ドットパターン格子の各格子点に対し、それぞれ濃色用波
形信号ＣＯＭＡと薄色用波形信号ＣＯＭＢのいずれか一方を対応付けるためのデータであ
る。
【００５３】
制御部３２は、基板ステージ１２の１スキャン分に相当するドットパターンデータ及び
コモンパターンデータを展開すると、ドットパターンデータ及びコモンパターンデータを
利用し、転送クロックＳＣＬＫに同期したシリアルデータを生成して、内部Ｉ／Ｆ３９を
介してヘッド駆動回路４１にシリアル転送させる。制御部３２は、１スキャン分のドット
パターンデータ及びコモンパターンデータをシリアル転送させると、中間バッファ３３ｂ
の内容を消去し、次の中間コードデータに対して展開処理を実行する。
【００５４】
ここで、ドットパターンデータを利用して生成されるシリアルデータを、シリアルドッ
トデータＳＩＡという。シリアルドットデータＳＩＡは、ドットの吐出・非吐出を規定す
るためのビットの値をノズルＮの数量、すなわち１８０個分だけ有し、走査方向に沿うド
ットパターン格子の格子ごとに順次生成される。
【００５５】
また、コモンパターンデータを利用して生成されたシリアルデータを、シリアルコモン
データＳＩＢという。シリアルコモンデータＳＩＢは、濃色・薄色を規定するためのビッ
トの値をノズルの数量、すなわち１８０個分だけ有し、走査方向に沿うドットパターン格
子の格子ごとに順次生成される。
【００５６】
次に、ヘッド駆動回路４１について以下に説明する。
図９において、ヘッド駆動回路４１は、出力制御信号ＰＩを生成するための出力制御信
号生成回路４２と、濃色用コモン選択信号ＰＸＡ及び薄色用コモン選択信号ＰＸＢを生成
するためのコモン選択信号生成回路４３とを有する。また、ヘッド駆動回路４１は、出力
合成回路４４と、ロジック系の信号を昇圧してアナログスイッチの駆動電圧レベルに昇圧
するレベルシフタ４５と、各圧電素子ＰＺに対して各駆動波形信号ＣＯＭを供給するため
のアナログスイッチを備えた２系統のスイッチ回路４６とを有する。
【００５７】
なお、上記出力制御信号ＰＩ、濃色用コモン選択信号ＰＸＡ及び薄色用コモン選択信号
ＰＸＢによって選択信号が構成されている。
出力制御信号生成回路４２は、制御装置３０から転送クロックＳＣＬＫとシリアルドッ
トデータＳＩＡとが入力されるとき、シリアルドットデータＳＩＡを転送クロックＳＣＬ
Ｋによって順次シフトさせて格納する。出力制御信号生成回路４２は、制御装置３０から
ラッチ信号ＬＡＴが入力されるとき、格納したシリアルドットデータＳＩＡをラッチし、
シリアル／パラレル変換する。
【００５８】
出力制御信号生成回路４２は、シリアル／パラレル変換したシリアルドットデータＳＩ
Ａを用い出力制御信号ＰＩを生成する。出力制御信号ＰＩとは、１８０個のノズルＮの各
々に対し、液滴Ｄの吐出・非吐出を各ビットの値（“０”あるいは“１”）によって規定
した１８０ビットのデータである。
【００５９】
図９において、コモン選択信号生成回路４３は、制御装置３０から転送クロックＳＣＬ
ＫとシリアルコモンデータＳＩＢとが入力されるとき、シリアルコモンデータＳＩＢを転
送クロックＳＣＬＫによって順次シフトさせて格納する。コモン選択信号生成回路４３は
、制御装置３０からラッチ信号ＬＡＴが入力されるとき、格納したシリアルコモンデータ
ＳＩＢをラッチし、シリアル／パラレル変換する。
【００６０】
コモン選択信号生成回路４３は、シリアル／パラレル変換したシリアルコモンデータＳ
ＩＢを用いて濃色用コモン選択信号ＰＸＡ及び薄色用コモン選択信号ＰＸＢを生成する。
濃色用コモン選択信号ＰＸＡとは、１８０個のノズルＮの各々に対し、濃色用波形信号Ｃ
ＯＭＡの選択・非選択を各ビットの値（“０”あるいは“１”）によって規定した１８０
ビットのデータである。薄色用コモン選択信号ＰＸＢは、１８０個のノズルＮの各々に対
し、薄色用波形信号ＣＯＭＢの選択・非選択を各ビットの値（“０”あるいは“１”）に
よって規定した１８０ビットのデータである。
【００６１】
図９において、出力合成回路４４は、第１コモン出力合成回路４４Ａと、第２コモン出
力合成回路４４Ｂとを有する。第１コモン出力合成回路４４Ａ及び第２コモン出力合成回
路４４Ｂには、それぞれ出力制御信号生成回路４２からの共通する１８０ビットの出力制
御信号ＰＩが入力される。また、第１コモン出力合成回路４４Ａ及び第２コモン出力合成
回路４４Ｂには、それぞれコモン選択信号生成回路４３から濃色用コモン選択信号ＰＸＡ
及び薄色用コモン選択信号ＰＸＢが入力される。
【００６２】
第１コモン出力合成回路４４Ａは、出力制御信号ＰＩと濃色用コモン選択信号ＰＸＡを
利用し、圧電素子ＰＺの各々に対して濃色用波形信号ＣＯＭＡを供給するか否か（供給・
非供給）を規定した信号、すなわち濃色用制御信号ＣＰＡを出力する。
【００６３】
そして、第１コモン出力合成回路４４Ａは、液滴Ｄの吐出が規定され、かつ、濃色用波
形信号ＣＯＭＡが選択されたノズルＮ（圧電素子ＰＺ）に対して濃色用波形信号ＣＯＭＡ
を供給するための濃色用制御信号ＣＰＡを出力する。一方、第１コモン出力合成回路４４
Ａは、液滴Ｄの非吐出が規定されたノズルＮ（圧電素子ＰＺ）、又は、濃色用波形信号Ｃ
ＯＭＡが選択されていないノズルＮ（圧電素子ＰＺ）に対して濃色用波形信号ＣＯＭＡを
供給させないための濃色用制御信号ＣＰＡを出力する。
【００６４】
第２コモン出力合成回路４４Ｂは、出力制御信号ＰＩと薄色用コモン選択信号ＰＸＢを
利用し、圧電素子ＰＺの各々に対して薄色用波形信号ＣＯＭＢを供給するか否か（供給・
非供給）を規定した信号、すなわち薄色用制御信号ＣＰＢを出力する。
【００６５】
そして、第２コモン出力合成回路４４Ｂは、液滴Ｄの吐出が規定され、かつ、薄色用波
形信号ＣＯＭＢが選択されたノズルＮ（圧電素子ＰＺ）に対して薄色用波形信号ＣＯＭＢ
を供給するための薄色用制御信号ＣＰＢを出力する。一方、第２コモン出力合成回路４４
Ｂは、液滴Ｄの非吐出が規定されたノズルＮ（圧電素子ＰＺ）、又は、薄色用波形信号Ｃ
ＯＭＢが選択されていないノズルＮ（圧電素子ＰＺ）に対して薄色用波形信号ＣＯＭＢを
供給させないための薄色用制御信号ＣＰＢを出力する。
【００６６】
レベルシフタ４５は、濃色用制御信号ＣＰＡを利用する第１コモン用レベルシフタ４５
Ａと、薄色用制御信号ＣＰＢを利用する第２コモン用レベルシフタ４５Ｂとを有する。第
１コモン用レベルシフタ４５Ａと第２コモン用レベルシフタ４５Ｂには、それぞれ対応す
る出力合成回路４４から濃色用制御信号ＣＰＡと薄色用制御信号ＣＰＢが入力される。第
１コモン用レベルシフタ４５Ａと第２コモン用レベルシフタ４５Ｂは、それぞれ濃色用制
御信号ＣＰＡと薄色用制御信号ＣＰＢとをアナログスイッチの駆動電圧レベルに昇圧し、
１８０個の圧電素子ＰＺに対応する開閉信号を出力する。
【００６７】
スイッチ回路４６は、濃色用波形信号ＣＯＭＡを利用する第１コモン用スイッチ回路４
６Ａと、薄色用波形信号ＣＯＭＢを利用する第２コモン用スイッチ回路４６Ｂとを有する
。第１コモン用スイッチ回路４６Ａと第２コモン用スイッチ回路４６Ｂは、それぞれ圧電
素子ＰＺに対応する１８０個のアナログスイッチを有する。第１コモン用スイッチ回路４
６Ａと第２コモン用スイッチ回路４６Ｂには、それぞれ対応するレベルシフタ４５から開
閉信号が入力される。第１コモン用スイッチ回路４６Ａと第２コモン用スイッチ回路４６
Ｂに設けられた各アナログスイッチの入力端には、それぞれ濃色用波形信号ＣＯＭＡと薄
色用波形信号ＣＯＭＢとが入力され、各アナログスイッチの出力端には、それぞれ対応す
る圧電素子ＰＺが接続されている。各アナログスイッチは、それぞれ対応するレベルシフ
タ４５から開閉信号が入力され、開閉信号が“Ｈ”レベルになるとき、対応する圧電素子
ＰＺに対して対応する駆動波形信号ＣＯＭを出力する。
【００６８】
これにより、１８０個の各圧電素子ＰＺには、それぞれ出力制御信号ＰＩによって液滴
Ｄの吐出が選択されるとき、濃色用制御信号ＣＰＡと薄色用制御信号ＣＰＢとよって、濃
色用波形信号ＣＯＭＡと薄色用波形信号ＣＯＭＢのいずれか一方が供給される。
【００６９】
次に、液滴吐出装置１０を用いた液晶表示装置１の製造方法について以下に説明する。
まず、図４に示すように、カラーフィルタ基板６が、その吐出面６ａを上側にして基板
ステージ１２に載置される。このとき、基板ステージ１２は、カラーフィルタ基板６をキ
ャリッジ１５の反主走査方向に配置する。この状態から、入出力装置４０は、描画データ
Ｉｐを制御装置３０に入力する。
【００７０】
この際、描画データＩｐは、奇数行・奇数列目の各画素群Ｃｍｎに対し濃色画素ＣＨを
規定し、奇数行・偶数列目の画素群Ｃｍｎに対し薄色画素ＣＬを規定する。また、描画デ
ータＩｐは、偶数行・奇数列目の画素群Ｃｍｎに対し薄色画素ＣＬを規定し、偶数行・偶
数列目の画素群Ｃｍｎに対し濃色画素ＣＨを規定する。
【００７１】
制御装置３０から描画データＩｐが入力されると、制御装置３０は、モータ駆動回路３
８を介してキャリッジ１５を走査し、カラーフィルタ基板６がＹ矢印方向に走査されると
きに各吐出ヘッド１６がそれぞれ対応するフィルタ領域９の上を通過するようにキャリッ
ジ１５を配置する。制御装置３０は、キャリッジ１５を配置するとモータ駆動回路３８を
介して基板ステージ１２の走査を開始する。
【００７２】
また、制御装置３０は、入出力装置４０から入力された描画データＩｐを用いてドット
パターンデータとコモンパターンデータとを生成する。制御装置３０は、１スキャン分に
相当するドットパターンデータとコモンパターンデータとを生成すると、シリアルドット
データＳＩＡとシリアルコモンデータＳＩＢとを生成し、シリアルドットデータＳＩＡと
シリアルコモンデータＳＩＢとを転送クロックＳＣＬＫに同期させてヘッド駆動回路４１
にシリアル転送する。
【００７３】
制御装置３０は、基板ステージ１２が所定の描画開始位置に到達するとき、ラッチ信号
ＬＡＴをヘッド駆動回路４１に出力し、ヘッド駆動回路４１にシリアルドットデータＳＩ
ＡとシリアルコモンデータＳＩＢとをラッチさせる。
【００７４】
ヘッド駆動回路４１は、シリアルドットデータＳＩＡをラッチすると、シリアル／パラ
レル変換したシリアルドットデータＳＩＡを用い、１８０個のノズルＮの各々に対して液
滴Ｄの吐出・非吐出を規定した出力制御信号ＰＩを生成する。ヘッド駆動回路４１は、シ
リアルコモンデータＳＩＢをラッチすると、シリアル／パラレル変換したシリアルコモン
データＳＩＢを用い、濃色用コモン選択信号ＰＸＡと薄色用コモン選択信号ＰＸＢとを生
成する。また、ヘッド駆動回路４１は、出力制御信号ＰＩと濃色用コモン選択信号ＰＸＡ
を利用して濃色用制御信号ＣＰＡを生成し、出力制御信号ＰＩと薄色用コモン選択信号Ｐ
ＸＢを利用して薄色用制御信号ＣＰＢを生成する。
【００７５】
そして、ヘッド駆動回路４１は、濃色用制御信号ＣＰＡに従って選択される圧電素子Ｐ
Ｚに対し濃色用波形信号ＣＯＭＡを供給し、また薄色用制御信号ＣＰＢに従って選択され
る圧電素子ＰＺに対し薄色用波形信号ＣＯＭＢを供給する。
【００７６】
すなわち、ヘッド駆動回路４１は、ノズルＮの直下に奇数行目の画素群Ｃｍｎが位置す
るとき、奇数列目の画素群Ｃｍｎに対応する圧電素子ＰＺに対し濃色用波形信号ＣＯＭＡ
を供給し、偶数列目の画素群Ｃｍｎに対応する圧電素子ＰＺに対し薄色用波形信号ＣＯＭ
Ｂを供給する。また、ヘッド駆動回路４１は、ノズルＮの直下に偶数行目の画素群Ｃｍｎ
が位置するとき、奇数列目の画素群Ｃｍｎに対応する圧電素子ＰＺに対し薄色用波形信号
ＣＯＭＢを供給し、偶数列目の画素群Ｃｍｎに対応する圧電素子ＰＺに対し濃色用波形信
号ＣＯＭＡを供給する。
【００７７】
これによって、濃色画素ＣＨと薄色画素ＣＬとが、それぞれ主走査方向と副走査方向の
双方に沿って交互に繰り返し形成され、カラーフィルタ基板６の全体にわたり市松模様の
濃淡を呈したカラーフィルタＣＦが形成される。
【００７８】
次に、上記のように構成した本実施形態の効果を以下に記載する。
（１）上記実施形態によれば、ヘッド駆動回路４１は、奇数列目の画素群Ｃｍｎに対応
する圧電素子ＰＺに対して濃色用波形信号ＣＯＭＡと薄色用波形信号ＣＯＭＢとを画素Ｃ
ごとに交互に入力する。また、ヘッド駆動回路４１は、奇数列目の画素群Ｃｍｎに対応す
る圧電素子ＰＺに対して濃色用波形信号ＣＯＭＡを入力するとき、偶数列目の画素群Ｃｍ
ｎに対応する圧電素子ＰＺに対して薄色用波形信号ＣＯＭＢを入力する。また、ヘッド駆
動回路４１は、奇数列目の画素群Ｃｍｎに対応する圧電素子ＰＺに対して薄色用波形信号
ＣＯＭＢを入力するとき、偶数列目の画素群Ｃｍｎに対応する圧電素子ＰＺに対して濃色
用波形信号ＣＯＭＡを入力する。
【００７９】
したがって、吐出面６ａの全体にわたり、濃色画素ＣＨと薄色画素ＣＬとをそれぞれ主
走査方向と副走査方向の双方に沿って交互に繰り返し形成させることができ、カラーフィ
ルタ基板６の全体に市松模様の濃淡を表すことができる。この結果、ノズルＮの個体差に
起因したスジムラを一方向に沿う画素Ｃの濃淡によって視認し難くさせることができ、か
つ、その濃淡の偏りを隣り合う画素Ｃの濃淡によって回避させることができる。
【００８０】
（２）上記実施形態によれば、ノズルＮから吐出する液滴Ｄのサイズを画素Ｃごとに変
更させて濃色画素ＣＨと薄色画素ＣＬとをそれぞれ形成させた。したがって、液滴Ｄの数
量や液滴Ｄの吐出タイミングなどを画素Ｃごとに変更させる必要がない。よって、各画素
Ｃに吐出するフィルタインクＩｋの量を、より簡便な装置構成によって切替えさせること
ができる。
【００８１】
尚、上記実施形態は以下のように変更してもよい。
・上記実施形態では、濃色画素ＣＨと薄色画素ＣＬとが、濃色用波形信号ＣＯＭＡと薄
色用波形信号ＣＯＭＢの切り替えによって形成させる。これに限らず、例えば濃色画素Ｃ
Ｈと薄色画素ＣＬとが、液滴Ｄの数量変更によって形成させる構成にしてもよい。すなわ
ち、各ノズルＮに対して共通する駆動波形信号ＣＯＭを供給させ、濃色画素ＣＨを形成す
るためのフィルタ領域９に対して相対的に多い数量の液滴Ｄを吐出させ、逆に、薄色画素
ＣＬを形成するためのフィルタ領域９に対して相対的に少ない数量の液滴Ｄを吐出させる
構成にしてもよい。
【００８２】
・上記実施形態では、制御部３２が描画データＩｐを用いてドットパターンデータとコ
モンパターンデータとを生成する構成にした。これに限らず、例えば、入出力装置４０が
描画データＩｐを用いてドットパターンデータとコモンパターンデータとを生成し、入出
力装置４０がドットパターンデータとコモンパターンデータとを制御装置３０に入力する
構成にしてもよい。
【００８３】
・上記実施形態では、液滴Ｄを吐出させるためのアクチュエータを圧電素子ＰＺに具体
化した。これに限らず、例えば、アクチュエータを抵抗加熱素子に具体化してもよく、所
定の駆動波形信号ＣＯＭを受けて駆動波形信号ＣＯＭに応じた重量の液滴Ｄを吐出させる
ものであればよい。
【００８４】
・上記実施形態では、各吐出ヘッド１６が１８０個のノズルＮを１列だけ備える構成に
した。これに限らず、例えば、各吐出ヘッド１６が１８０個のノズルＮを２列以上備える
構成にしてもよく、さらには、列内のノズル数を１８０個よりも多い数量で具体化しても
よい。
【００８５】
・上記実施形態では、電気光学装置を液晶表示装置１に具体化し、液滴Ｄによってカラ
ーフィルタＣＦを製造する構成にした。これに限らず、例えば電気光学装置をエレクトロ
ルミネッセンス表示装置として具体化し、発光素子形成材料を含む液滴Ｄによって発光素
子を製造する構成にしてもよい。
【図面の簡単な説明】
【００８６】
【図１】液晶表示装置を示す斜視図。
【図２】カラーフィルタ基板を示す斜視図。
【図３】カラーフィルタ基板を示す平面図。
【図４】液滴吐出装置を示す斜視図。
【図５】液滴吐出ヘッドを示す斜視図。
【図６】ノズルと画素との間の位置関係を模式的に示す平面図。
【図７】液滴吐出ヘッドを示す側断面図。
【図８】液滴吐出装置の電気的構成を示す電気ブロック回路図。
【図９】ヘッド駆動回路を示す電気ブロック回路図。
【符号の説明】
【００８７】
Ｃ…パターンとしての画素、ＣＯＭＡ…第１駆動信号としての濃色用駆動信号、ＣＯＭ
Ｂ…第２駆動信号としての薄色用駆動信号、Ｄ…液滴、Ｉｋ…液状体としてのフィルタイ
ンク、Ｉｐ…描画データ、Ｎ…ノズル、ＰＺ…圧電素子、６…カラーフィルタ基板、９…
第１領域及び第２領域を構成する画素領域、１０…液滴吐出装置、１２…基板ステージ、
１６…吐出ヘッド、３２…選択信号生成手段を構成する制御部、３６…駆動信号生成手段
を構成する駆動波形生成回路、４１…制御手段を構成するヘッド駆動回路。
【図１】
2008168189.tif 000003
【図２】
2008168189.tif 000004
【図３】
2008168189.tif 000005
【図４】
2008168189.tif 000006
【図５】
2008168189.tif 000007
【図６】
2008168189.tif 000008
【図７】
2008168189.tif 000009
【図８】
2008168189.tif 000010
【図９】
2008168189.tif 000011